(57)【要約】【課題】絶縁検査を容易に行うことができる発熱シート，シート絶縁抵抗検出構造，床暖房構造及びこれらを用いた住宅を提供すること。【解決手段】発熱シート２３は、発熱シート本体（発熱層２４）の表面を覆う絶縁部材（絶縁防水保護フィルム２５）の表面に絶縁抵抗検出用の導電層（導電性シート２７）を設けた構成としている。【選択図】  図８
2006019057.tif 000002
【特許請求の範囲】
【請求項１】
発熱シート本体の表面を覆う絶縁部材の表面に絶縁抵抗検出用の導電層を設けたことを特徴とする発熱シート。
【請求項２】
請求項１に記載の発熱シートがシート設置面に沿って配設され、前記発熱シートを覆う表面板がこれを貫通する固定金具で前記シート接地面に固定されていると共に、絶縁抵抗検出位置を設定するのに用いる導電性部材が前記発熱シートの導電層に接触させられていることを特徴とするシート絶縁抵抗検出構造。
【請求項３】
請求項２の前記シート接地面は下床板であり、前記表面板は上床板であると共に、前記導電性部材が前記下床板上に取り付けられ、且つ前記発熱シートの下面に設けられた前記導電層が前記下床板上の導電性部材に接触させられているシート絶縁抵抗検出構造を備えることを特徴とする床暖房構造。
【請求項４】
請求項２の前記シート接地面は下床板であり、前記表面板は上床板であると共に、前記発熱シートが前記下床板上に前記導電層を上側に向けて設置され、且つ前記導電性部材が前記導電層上に接触するように配設されているシート絶縁抵抗検出構造を備えることを特徴とする床暖房構造。
【請求項５】
請求項１の発熱シート又は請求項２のシート絶縁抵抗検出構造、若しくは請求項３の床暖房構造或いは請求項４の床暖房構造を備えることを特徴とする住宅。
【発明の詳細な説明】
【技術分野】
【０００１】
この発明は、設置後の絶縁抵抗を検出可能な発熱シート，シート絶縁抵抗検出構造，床暖房構造及びこれらを用いた住宅に関するものである。
【背景技術】
【０００２】
従来、住宅等の建物の床暖房構造としては、捨て張り板等の下床板上に複数枚の発熱シートを間隔をおいて配設し、これらの発熱シートをフローリングボード等の上床板（表面板）でカバーするようにしたものが知られている（例えば、特許文献１参照）。
【０００３】
図１１（ａ），（ｂ）は、発熱シート配線構造の一例を示したものである。図１１（ａ），（ｂ）において、発熱シート１は長方形状に細長く形成されている。そして、発熱シート１に接続されたリード線２，３にはプラグ２ａ，３ａが接続固定されている。一方、図示しない一次電源に接続されたコントローラ（図示せず）に接続される配線には雌コネクタ２ｂ，３ｂが接続されている。そして、雌コネクタ２ｂ，３ｂにプラグ２ａ，３ａを接続することにより、コントローラを介して発熱シート１に通電制御を行うことができるようになっている。この通電制御により発熱シート１が発熱することで、図示しないフローリングボード等の上床板（表面板）が暖められるようになっている。
【０００４】
また、図１１（ｂ）の如く雌コネクタ２ｂ，３ｂにプラグ２ａ，３ａを接続した状態では、プラグ２ａ，３ａに一部が雌コネクタ２ｂ，３ｂから露出しているので、プラグ２ａ，３ａの露出部同士が接触しないように、プラグ２ａと雌コネクタ２ｂとの接続部４を図示しない絶縁テープでカバーすると共に、プラグ３ａと雌コネクタ３ｂとの接続部５と図示しない絶縁テープでカバーしている。
【特許文献１】特開２００４−９５３９３号公報
【発明の開示】
【発明が解決しようとする課題】
【０００５】
このような床暖房構造においては、上床板（表面板）を釘又はステープル等で下床板に固定していた。この際、発熱シートを釘が貫通しないように、隣接する発熱シート間に釘を打ち込むようにしている。そして、誤って釘又はステープルが発熱シートを貫通した場合には漏電するので、最終的には漏電しているか否かの絶縁検査を行うようにしている。この様な絶縁検査は、一戸建ての木造住宅の場合に木材が通電性を有するので、容易に検査することが可能である。
【０００６】
しかしながら、マンション等のコンクリート製の集合住宅では、床板を絶縁性のある支持部材で支持するようにしていることが一般的であるので、上述した絶縁検査を行うことが容易ではなかった。
【０００７】
そこで、この発明は、絶縁検査を容易に行うことができる発熱シート，シート絶縁抵抗検出構造，床暖房構造及びこれらを用いた住宅を提供することを目的とするものである。
【課題を解決するための手段】
【０００８】
この目的を達成するため、請求項１の発明は、発熱シート本体の表面を覆う絶縁部材の表面に絶縁抵抗検出用の導電層を設けた発熱シートとしたことを特徴とする。
【０００９】
また、請求項２の発明は、請求項１に記載の発熱シートがシート設置面に沿って配設され、前記発熱シートを覆う表面板がこれを貫通する固定金具で前記シート接地面に固定されていると共に、絶縁抵抗検出位置を設定するのに用いる導電性部材が前記発熱シートの導電層に接触させられているシート絶縁抵抗検出構造としたことを特徴とする。
【００１０】
更に、請求項３の発明は、請求項２の前記シート接地面は下床板であり、前記表面板は上床板であると共に、前記導電性部材が前記下床板上に取り付けられ、且つ前記発熱シートの下面に設けられた前記導電層が前記下床板上の導電性部材に接触させられているシート絶縁抵抗検出構造を備える床暖房構造としたことを特徴とする。
【００１１】
また、請求項４の発明は、請求項２の前記シート接地面は下床板であり、前記表面板は上床板であると共に、前記発熱シートが前記下床板上に前記導電層を上側に向けて設置され、且つ前記導電性部材が前記導電層上に接触するように配設されているシート絶縁抵抗検出構造を備える床暖房構造としたことを特徴とする。
【００１２】
また、請求項５の発明は、請求項１の発熱シート又は請求項２のシート絶縁抵抗検出構造、若しくは請求項３の床暖房構造或いは請求項４の床暖房構造を備える住宅としたことを特徴とする。
【発明の効果】
【００１３】
請求項１の発明によれば、発熱シートの導電部と導電層との間の絶縁抵抗を測定することにより、絶縁検査を容易に行うことができる。
【００１４】
また、請求項２の発明によれば、発熱シートの導電部と導電性部材との間の絶縁抵抗を測定することにより、絶縁検査を容易に行うことができるので、絶縁抵抗検出位置を任意の位置に容易に設定でき、発熱シートが複数枚ある場合でも一つの導電性部材で絶縁検査を行うことができる。
【００１５】
更に、請求項３，４の発明によれば、発熱シートの導電部と導電性部材との間の絶縁抵抗を測定することにより、絶縁検査を容易に行うことができるので、絶縁抵抗検出位置を任意の位置に容易に設定でき、発熱シートが複数枚ある場合でも一つの導電性部材で絶縁検査を行うことができる。
【００１６】
また、請求項５の発明によれば、上述した効果を有する住宅を提供できる。
【発明を実施するための最良の形態】
【００１７】
以下、この発明の実施の形態を図面に基づいて説明する。
【００１８】
図１において、１０は鉄筋コンクリート製の集合住宅、１１は集合住宅１０の居室、１２は居室１１のコンクリート床、１３は居室１１の仕切壁、１４は居室１１の外壁である。
【００１９】
この居室１１のコンクリート床１２上には、パーティクルボード（第１の下床板）１５が支持部材１６を介して水平に支持されている。また、図２，図３に示したようにコンクリート床１２とパーティクルボード１５との間には例えばグラスウール等の断熱材１２ａが配設されている。
【００２０】
支持部材１６は、図２，図３に示したように高さ調整が可能な支柱１７と、支柱１７の上端部に取り付けられたゴム又は軟質の樹脂等の絶縁材料製の防振部材１８を有する。そして、防振部材１８とパーティクルボード１５の間には、小形状で方形の支持板１９が介装されている。
【００２１】
このパーティクルボード１５上には、図１，図２に示したように第２の下床板としての捨て張り板２０が配設されている。この捨て張り板２０は、外壁１４側の部分に設けた細幅の第１の捨て張り板２０ａと、この第１の捨て張り板２０ａと間隔をおいて配設されたメインの第２の捨て張り板２０ｂを有する。
【００２２】
そして、図１，図２，図４に示したように捨て張り板２０ａ，２０ｂ間には、外壁１４に沿って延びる配線空間２１が形成されている。この捨て張り板２０ｂの配線空間２１側端部上には、この配線空間２１に沿って延びる導電性テープ（導電性部材）２２が貼り付けられている。
【００２３】
この導電性テープ２２としては、例えばアルミ製のテープを用いることができるが、導電性を有すれば必ずしもアルミ製のテープに限定されるものではなく、銅やその他の導電性の金属テープ（又は金属板）でも良いし、カーボン繊維製の非金属製導電板又は非金属製導電テープでも良い。
【００２４】
また、捨て張り板２０ｂ上には、複数枚の発熱シート（面状発熱体）２３が所定間隔Ｌをおいて配設されている。この複数枚の発熱シート２３は、図５，図６に示したように４枚一組の２つの発熱シート列２３Ａ，２３Ｂを構成している。図５，図６では、説明の便宜上、発熱シート列２３Ａ，２３Ｂ間の間隔を間隔Ｌよりも大きく取っているが、実際には図７の如く発熱シート列２３Ａ，２３Ｂ間の間隔も間隔Ｌに設定されている。
【００２５】
各発熱シート２３は、図８（ｂ）に示したように通電することにより発熱する発熱材料からなる発熱層（ヒータ部材、発熱シート本体）２４と、この発熱層２４を覆う絶縁防水保護フィルム（絶縁部材）２５，２６を有する。この発熱シート２３は、絶縁防水保護フィルム２５側が捨て張り板２０ｂ上に載置されている。尚、この発熱シート２３には、例えば自己温度制御タイプのＰＴＣ（Positive Temperature coefficient）ヒータが用いられている。
【００２６】
しかも、この絶縁防水保護フィルム２５の外表面には、図８（ａ），図８（ｂ）に示したようにアルミ箔（アルミシート）等の導電性シート２７が導電層として貼り付けられている。尚、この導電性シート２７としては、導電性を有し且つ熱伝導性の高い材料であればアルミ箔（アルミシート）等以外の材料であっても良い。そして、この導電性シート２７の長手方向の端部は、捨て張り板２０ｂ上の導電性テープ２２上に載置されて、導電性テープ２２に接触している。
【００２７】
また、図８（ｂ）の発熱層２４に通電する電極（図示せず）に接続されたリード線２８，２９が発熱シート２３の一端部から引き出されている。このリード線２８，２９の端部には、図９（ａ）〜図９（ｃ）に示したように接続プラグ（雄コネクタ）２８ａ，２９ａが接続されている。
【００２８】
更に、図１に示したように仕切壁１３の内装壁１３ａには、配線空間２１側に位置させてコントローラ３０が取り付けられている。このコントローラ３０は、図６に示したように屋内配線等の電源３１に接続されている。このコントローラ３０内には、図６Ａに示したように制御基板３０ａが設けられている。
【００２９】
尚、導電性テープ２２には図７に示したようにリード線２２ａの一端部が接続されている。このリード線２２ａの他端部は、絶縁抵抗計測時に絶縁抵抗の検出部に接続するようになっている。
【００３０】
また、このコントローラ３０には、図６に示したように発熱シート列２３Ａへの配線３２，３３及び発熱シート列２３Ｂへの配線３２ａ，３３ａが接続されている。この配線３２（３２ａ），３３（３３ａ）は上述した配線空間２１内に配設される。尚、Ｔ１〜Ｔ４は制御基板３０ａに設けられた接続端子で、接続端子Ｔ１〜Ｔ４には配線３２，３３，３２ａ，３３ａが接続されている。
【００３１】
この配線３２（３２ａ），３３（３３ａ）には、図９（ａ）に示したようにリード線３４，３５がそれぞれ接続され、リード線３４，３５には雌コネクタ３４ａ，３５ａが接続されている。尚、接続プラグ２８ａと雌コネクタ３４ａは第１のカプラ３６を構成し、接続プラグ２９ａと雌コネクタ３５ａは第２のカプラ３７を構成している。
【００３２】
しかも、リード線２８の長さは、略接続プラグ２８ａ（２９ａ）長さ（寸法）分だけリード線２９の長さよりも長く形成されている。また、リード線３５の長さは、略雌コネクタ３４ａ（３５ａ）長さ（寸法）分だけリード線３４の長さよりも長く形成されている。
【００３３】
これにより、図９（ｂ）の状態から接続プラグ２８ａ，２９ａを図９（ａ）の如く雌コネクタ３４ａ，３５ａに接続したとき、図９（ｃ），図１０に示したように接続プラグ２８ａの雌コネクタ３４ａへの接続部３６と接続プラグ２９ａの雌コネクタ３５ａへのカプラ３７は接続方向に略カプラ３６（３７）の長さ分だけずれた状態となっている。
【００３４】
この状態では、図１０に示したようにカプラ３６，３７を一部が僅かに重なるように寄せても、リード線２８，２９や３４，３５及び接続プラグ２８ａ，２９ａの露出部は互いに重なって接触することがない。
【００３５】
従って、カプラ３６，３７の部分を同時に絶縁テープで多数捲回することにより、カプラ３６，３７の回りに一つの絶縁テープ部３８が形成されているので、絶縁テープの捲回作業性（施工性）が良い。これにより、リード線２８，２９や３４，３５及び接続プラグ２８ａ，２９ａの露出していた部分は絶縁テープ部３８により覆われている。このような接続及び絶縁テープの捲回は各発熱シート２３ごとに行われる。
【００３６】
更に、このようにして接続された複数の発熱シート２３上には図１に示したようにフローリングボード（上床板）３９が配設され、発熱シート２３がフローリングボード３９により覆われている。このフローリングボード３９は、釘（固定金具）４０によりパーティクルボード２０ｂ上に固定されている。尚、フローリングボード３９をパーティクルボード２０ｂ上に固定する固定金具としては、釘４０に限定されるものではなく、ステープル等であっても良い。
【００３７】
次に、このような構成の床暖房構造の作用を説明する。
【００３８】
この様な構成においては、各発熱シート２３の下面の導電性シート２７は導電性テープ２２に接触しているので、導電性シート２２に接続したリード線２２ａを絶縁抵抗を検出する絶縁抵抗計の検出部に接続して計測（検査）したときに、絶縁抵抗が所定値（例えば、１００ＭΩ）以上となれば、釘４０は発熱層２４及び導電性シート２７を貫通していないので、漏電していないことが分かる。
【００３９】
また、フローリングボード３９を釘４０によりパーティクルボード２０ｂ上に固定する際、釘４０が発熱シート２３を貫通している場合、釘４０は図８（ｂ）の発熱層２４及び導電性シート２７を貫通するので、発熱層２４と導電性シート２７が釘４０を介して導通する。この場合には、リード線２２ａを絶縁抵抗を検出する絶縁抵抗計の検出部に接続して計測（検査）したときに、絶縁抵抗計が所定値（例えば、１００ＭΩ）より低い抵抗値を示すので、釘４０が発熱シート２３を貫通して漏電していると分かる。このように漏電があった場合には、発熱シート２３を貼り替える。
【００４０】
また、このような計測により漏電が無い場合には、コントローラ３０を操作して、発熱シート２３の発熱層２４に通電することで、発熱層２４が発熱する。この発熱による熱は、導電性シート２７を介して発熱シート２３の下面全体に均一に広がるので、フローリングボード３９全体を略均一に暖めることができる。
（変形例１）
以上説明した実施例では、下床板である捨て張り板２０ｂ上に導電性テープ２２を貼り付け、発熱シート２３の下面に導電性シート２７を貼り付けて、この導電性シート２７を導電性テープ２２に上側から接触させるようにした例を示したが、必ずしもこれに限定されるものではない。
【００４１】
例えば、導電性シート２７を発熱シート２３の上面に貼り付け、導電性テープ２２を複数の発熱シート２３の導電性シート２７に跨って載せるように配設し、この上にフローリングボード３９を載せて、導電性テープ２２を複数の発熱シート２３の導電性シート２７に押し付けるように接触させた構成としても良い。尚、導電性テープ２２はフローリングボード３９の下面に予め貼り付けておいても良い。
（変形例２）
以上説明した実施例では、導電性テープ２２を全ての発熱シート２３の導電性シート２７に跨って接触させるようにしているが、必ずしもこれに限定されるものではない。
【００４２】
例えば、発熱シート列２３Ａの複数の発熱シート２３の導電性シート２７に跨る導電性テープと、発熱シート列２３Ｂの複数の発熱シート２３の導電性シート２７に跨る導電性テープを設けて、発熱シート列２３Ａ，２３Ｂごとに絶縁抵抗を測定できるようにすることもできる。
【００４３】
また、全ての発熱シート２３の導電性シート２７の配線の検出端子を制御基板３０ａに設けて、各発熱シート２３ごとに絶縁抵抗を検出するようにすることもできる。この場合には、発熱シート２３の数に応じた数のプリント配線（表面は絶縁層で覆われている）が施された帯状シートを用いて、この帯状シートの絶縁層の表面に各発熱シート２３に対応し且つ各プリント配線にそれぞれ接続された複数の接触部を設けた構成としても良い。この構成によれば、各発熱シート２３ごとに絶縁抵抗を測定できるので、発熱シート２３の一つが漏電している場合、この漏電している発熱シートのみを交換すればよい。
（変形例３）
また、以上説明した実施例では、発熱シート２３を集合住宅１０の床に適用した例を示したが、必ずしもこれに限定されるものではない。例えば、内装壁１３ａに適用することもできる。この場合には、内装壁１３ａと仕切壁１３との間に発熱シート２３を取り付けるシート取付ボードを配設し、このシート取付ボードと内装壁１３ａとの間に発熱シート２３を介装して、上述した床暖房構造と同じ構造を適用するようにしても良い。
【００４４】
更に、上述した暖房構造はコンクリート製の集合住宅１０に適用した例を示したが、オフィスビルや１個建ての住宅等の建物に適用できることは勿論である。
【００４５】
以上説明したように、この発明の実施の形態の発熱シート２３は、発熱シート本体（発熱層２４）の表面を覆う絶縁部材（絶縁防水保護フィルム２５）の表面に絶縁抵抗検出用の導電層（導電性シート２７）を設けた構成としている。
【００４６】
この構成によれば、発熱シート２３の導電部（発熱シート本体）と導電層（絶縁防水保護フィルム２５）との間の絶縁抵抗を測定することにより、絶縁検査を容易に行うことができる。
【００４７】
また、この発明の実施の形態のシート絶縁抵抗検出構造においては、発熱シート２３がシート設置面（捨て張り板２０ｂの上面）に沿って配設され、前記発熱シート２３を覆う表面板（フローリングボード３９）がこれを貫通する固定金具（釘４０やステープル）で前記シート接地面（捨て張り板２０ｂの上面）に固定されていると共に、絶縁抵抗検出位置を設定するのに用いる導電性部材（導電性テープ２２）が前記発熱シート２３の導電層（導電性シート２７）に接触させられている。
【００４８】
この構成によれば、発熱シート２３の導電部（発熱シート本体）と導電性部材（導電性テープ２２）との間の絶縁抵抗を測定することにより、絶縁検査を容易に行うことができるので、絶縁抵抗検出位置を任意の位置に容易に設定でき、発熱シート２３が複数枚ある場合でも一つの導電性テープで絶縁検査を行うことができる。
【００４９】
更に、この発明の実施の形態の床暖房構造において、前記シート接地面は下床板（捨て張り板２０ｂ）であり、前記表面板は上床板（フローリングボード３９）である。しかも、床暖房構造は、前記導電性部材（導電性テープ２２）が前記下床板（捨て張り板２０ｂ）上に取り付けられ、且つ前記発熱シート２３の下面に設けられた前記導電層（導電性シート２７）が前記下床面上の導電性テープに接触させられているシート絶縁抵抗検出構造を備えている。
【００５０】
この構成によれば、発熱シート２３の導電部（発熱シート本体）と導電性部材（導電性テープ２２）との間の絶縁抵抗を測定することにより、絶縁検査を容易に行うことができるので、絶縁抵抗検出位置を任意の位置に容易に設定でき、発熱シート２３が複数枚ある場合でも一つの導電性部材（導電性テープ２２）で絶縁検査を行うことができる。
【００５１】
また、この発明の実施の形態の床暖房構造において、前記シート接地面は下床板（捨て張り板２０ｂ）であり、前記表面板は上床板（フローリングボード３９）である。しかも、床暖房構造は、前記発熱シート２３が前記下床板（捨て張り板２０ｂ）上に前記導電層（導電性シート２７）を上側に向けて設置され、且つ前記導電性部材（導電性テープ２２）が前記導電層（導電性シート２７）上に接触するように配設されているシート絶縁抵抗検出構造を備えている。
【００５２】
この構成によれば、発熱シート２３の導電部（発熱シート本体）と導電性部材（導電性テープ２２）との間の絶縁抵抗を測定することにより、絶縁検査を容易に行うことができるので、絶縁抵抗検出位置を任意の位置に容易に設定でき、発熱シート２３が複数枚ある場合でも一つの導電性部材（導電性テープ２２）で絶縁検査を行うことができる。
【００５３】
また、この発明の実施の形態の住宅は、上述した発熱シート２３又はシート絶縁抵抗検出構造、若しくは床暖房構造備えている。この構成によれば、上述した効果を有する住宅を提供できる。
【図面の簡単な説明】
【００５４】
【図１】この発明に係る発熱シート，シート絶縁抵抗検出構造，床暖房構造を備える住宅の部分斜視図である。
【図２】図１のＡ１−Ａ１線に沿う断面図である。
【図３】図１のＡ２−Ａ２線に沿う断面図である。
【図４】図２のフローリングボードを省略した要部拡大説明図である。
【図５】図１の床の平面図である。
【図６】図５の発熱シートとコントローラの接続管系を示す配線図である。
【図６Ａ】図５のコントローラ内の制御基板の部分説明図である。
【図７】図５の発熱シートと導電性テープとの関係を示す説明図である。
【図８】（ａ）は発熱シートの面図である、（ｂ）は（ａ）のＡ３−Ａ３線に沿う断面図である。
【図９】（ａ）は発熱シートとコントローラへの配線との間の接続構造の説明図、（ｂ）は（ａ）の接続プラグと雌コネクタとを分離した状態の説明図、（ｃ）は（ａ）の接続部の要部拡大図である。
【図１０】図９の接続プラグと雌コネクタとを接続して、この接続部に絶縁テープを捲回した状態の説明図である。
【図１１】従来の発熱シートの接続プラグと配線側の雌コネクタとの関係を示す説明図である。
【符号の説明】
【００５５】
１０…集合住宅（住宅）
２０…捨て張り板
２０ａ，２０ｂ…捨て張り板
２２…導電性テープ（導電性部材）
２３…発熱シート
２４…発熱層（発熱シート本体）
２５…絶縁防水保護フィルム（絶縁部材）
２７…導電性シート（導電層）
３９…フローリングボード（表面板）
４０…釘（固定金具）
【図１】
2006019057.tif 000003
【図２】
2006019057.tif 000004
【図３】
2006019057.tif 000005
【図４】
2006019057.tif 000006
【図５】
2006019057.tif 000007
【図６】
2006019057.tif 000008
【図６Ａ】
2006019057.tif 000009
【図７】
2006019057.tif 000010
【図８】
2006019057.tif 000011
【図９】
2006019057.tif 000012
【図１０】
2006019057.tif 000013
【図１１】
2006019057.tif 000014